(57)【特許請求の範囲】
【請求項１】
自然エネルギーを利用して発電可能な発電部と、
商用電源及び前記発電部にそれぞれ接続され、前記商用電源及び前記発電部からの電力を充電可能であるとともに、充電された電力を特定の負荷へと放電可能な蓄電装置と、
を具備する電力供給システムであって、
壁部によって仕切られるとともに、開閉可能な開閉扉を有して前記蓄電装置を収納する蓄電装置収納空間と、
前記壁部に設けられ、前記発電部、前記商用電源及び前記特定の負荷にそれぞれ接続される複数のコンセントと、
前記複数のコンセントと前記蓄電装置とをそれぞれ接続する複数のケーブルと、
を具備し、
各組のコンセントとケーブルとの差し込み形状が互いに異なる形状となるように形成され、
前記複数のコンセントが、前記開閉扉が開いた状態で前記蓄電装置収納空間の外部から作業者によって前記ケーブルと接続可能な位置に配置される電力供給システム。
【請求項２】
前記複数組のコンセント及びケーブルのうち、少なくとも１組のコンセント及びケーブルは、
前記ケーブル側にメス部が形成されるとともに、
前記コンセント側に、前記ケーブル側のメス部に差し込まれるオス部が形成され、
前記オス部の端子は、前記壁部の壁面に対して窪んだ凹部の内側に前記壁面から突出しないように形成され、
前記メス部の端子は、前記凹部と略同一の形状かつ大きさに形成されたプラグの内部に形成される、請求項１に記載の電力供給システム。
【請求項３】
前記商用電源に対応するコンセントと、前記特定の負荷に対応するコンセントと、を互いに隣接する位置に配置して前記複数のケーブルのうち特定のケーブルにより接続可能とし、
前記特定の負荷に対応するコンセント及び前記特定のケーブルは、前記少なくとも１組のコンセント及びケーブルに該当し、
前記特定のケーブルにおいて前記メス部が形成された側と反対側の端部には、ケーブル側オス部が形成され、
前記ケーブル側オス部は、前記商用電源に対応するコンセントと接続可能であるとともに、前記蓄電装置に設けられた放電用のコンセントと接続可能に形成される、
請求項２に記載の電力供給システム。
【発明の詳細な説明】
【技術分野】
【０００１】
本発明は、蓄電装置を備え、商用電源が停電した場合には当該蓄電装置から特定の負荷に電力を供給することが可能な電力供給システムの技術に関する。
【背景技術】
【０００２】
従来、蓄電装置を備え、商用電源が停電した場合には当該蓄電装置から特定の負荷に電力を供給することが可能な電力供給システムの技術は公知となっている。例えば、特許文献１に記載の如くである。
【０００３】
特許文献１に記載の電力供給システムでは、商用電源が停電し、当該商用電源から負荷への電力の供給が絶たれた場合、商用電源に代えて蓄電装置に充電された電力を当該負荷に供給することができる。また、商用電源の停電が解消された（復旧した）場合、商用電源からの電力を負荷だけでなく蓄電装置にも供給することによって当該蓄電装置を再び充電することができる。
【０００４】
また、特許文献１に記載の電力供給システムでは、蓄電装置と商用電源及び負荷との接続を解除し、当該蓄電装置を持ち運んで移動し、他の負荷に接続することで、当該他の負荷に電力を供給することもできる。
【０００５】
しかし、特許文献１に記載の如き電力供給システムでは、住宅の壁面等に設けられ、商用電源及び負荷にあらかじめ接続されたコンセントに、蓄電装置からのケーブルを接続する（差し込む）際に、当該ケーブルを本来接続するべきコンセント以外のコンセントに誤って接続してしまうおそれがある。
【先行技術文献】
【特許文献】
【０００６】
【特許文献１】特開２０１０−２８４０６０号公報
【発明の概要】
【発明が解決しようとする課題】
【０００７】
本発明は以上の如き状況に鑑みてなされたものであり、その解決しようとする課題は、ケーブルの差し間違いを防止することができる電力供給システムを提供することである。
【課題を解決するための手段】
【０００８】
本発明の解決しようとする課題は以上の如くであり、次にこの課題を解決するための手段を説明する。
【０００９】
即ち、請求項１においては、自然エネルギーを利用して発電可能な発電部と、商用電源及び前記発電部にそれぞれ接続され、前記商用電源及び前記発電部からの電力を充電可能であるとともに、充電された電力を特定の負荷へと放電可能な蓄電装置と、を具備する電力供給システムであって、壁部によって仕切られるとともに、開閉可能な開閉扉を有して前記蓄電装置を収納する蓄電装置収納空間と、前記壁部に設けられ、前記発電部、前記商用電源及び前記特定の負荷にそれぞれ接続される複数のコンセントと、前記複数のコンセントと前記蓄電装置とをそれぞれ接続する複数のケーブルと、を具備し、各組のコンセントとケーブルとの差し込み形状が互いに異なる形状となるように形成され、前記複数のコンセントが、前記開閉扉が開いた状態で前記蓄電装置収納空間の外部から作業者によって前記ケーブルと接続可能な位置に配置されるものである。
【００１０】
請求項２においては、前記複数組のコンセント及びケーブルのうち、少なくとも１組のコンセント及びケーブルは、前記ケーブル側にメス部が形成されるとともに、前記コンセント側に、前記ケーブル側のメス部に差し込まれるオス部が形成され、前記オス部の端子は、前記壁部の壁面に対して窪んだ凹部の内側に前記壁面から突出しないように形成され、前記メス部の端子は、前記凹部と略同一の形状かつ大きさに形成されたプラグの内部に形成されるものである。
【００１１】
請求項３においては、前記商用電源に対応するコンセントと、前記特定の負荷に対応するコンセントと、を互いに隣接する位置に配置して前記複数のケーブルのうち特定のケーブルにより接続可能とし、前記特定の負荷に対応するコンセント及び前記特定のケーブルは、前記少なくとも１組のコンセント及びケーブルに該当し、前記特定のケーブルにおいて前記メス部が形成された側と反対側の端部には、ケーブル側オス部が形成され、前記ケーブル側オス部は、前記商用電源に対応するコンセントと接続可能であるとともに、前記蓄電装置に設けられた放電用のコンセントと接続可能に形成されるものである。
【発明の効果】
【００１２】
本発明の効果として、以下に示すような効果を奏する。
【００１３】
請求項１においては、
複数組のコンセント及びケーブルの差し込み形状が全て異なるため、ケーブルの差し間違いを防止することができる。
【００１４】
請求項２においては、
作業者が持つ側（ケーブル側）にメス部を形成することで、感電を防止することができる。
【００１５】
請求項３においては、
蓄電装置を用いない場合は、商用電源に対応するコンセントと、特定の負荷に対応するコンセントと、を接続することにより、当該特定の負荷に商用電源からの電力を供給することができる。
【図面の簡単な説明】
【００１６】
【図１】本発明の一実施形態に係る電力供給システムを示したブロック図。
【図２】蓄電装置の配置の様子を示した側面模式図。
【図３】放電用コンセントに接続されるケーブル及びプラグを示した図。
【図４】放電用コンセント及び当該放電用コンセントに接続されるケーブルを示した図。
【図５】蓄電装置を用いない場合の電力供給システムを示したブロック図。
【発明を実施するための形態】
【００１７】
次に、図１を用いて、本発明の実施の一形態に係る電力供給システム１の構成について説明する。
【００１８】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００１９】
発電部１０は、太陽光を利用して発電する装置であり、太陽電池パネル等により構成される。発電部１０は、例えば、住宅の屋根の上に設置される。
【００２０】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２１】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２２】
充放電用コンセント群３１は、充電用コンセント３２、ＬＡＮ用コンセント３３及び放電用コンセント３４を具備する。
【００２３】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００２４】
負荷５０は、住宅内において電力が消費される電化製品等であり、特に、停電時（非常時）においても電力を供給する必要がある「特定の負荷」である。
本実施形態においては、負荷５０（特定の負荷）として、リビングに設けられるリビングコンセント５１、冷蔵庫５２、及びリビングに設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００２５】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング以外に設けられるコンセントや照明等が挙げられる。
その他の負荷８０は、分電盤３０に接続される。
【００２６】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００２７】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００２８】
次に、図１を用いて、上述の如く構成された電力供給システム１において、商用電源９０からの電力が問題なく供給される場合の電力の供給態様について説明する。
【００２９】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３０】
この状態においては、発電部１０において発電された直流電力は、パワーコンディショナ２０において交流電力に変換され、分電盤３０に供給される。また、商用電源９０からの交流電力も分電盤３０に供給される。
【００３１】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３２】
また、発電部１０及び商用電源９０から分電盤３０に供給された電力は、その他の負荷８０に供給される。すなわち、居住者は、発電部１０及び商用電源９０からの電力によって、リビング以外に設けられるコンセントに接続された機器を利用したり、リビング以外の照明等を点灯させたりすることができる。
【００３３】
また、その他の負荷８０で消費する電力が、発電部１０からの電力だけで十分まかなえる場合は、商用電源９０からの電力を用いないようにすることも可能である。これによって、電力料金を節約することができる。
【００３４】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００３５】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００３６】
次に、停電時（商用電源９０からの電力が供給不能な場合）における電力の供給態様について説明する。
【００３７】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００３８】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００３９】
この状態においては、発電部１０において発電された電力は、パワーコンディショナ２０、非常用コンセント２１及びケーブル４１を介して蓄電装置４０に充電される。
【００４０】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４１】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４２】
次に、図１を用いて、非常用コンセント２１、充放電用コンセント群３１、及びこれらに接続されるケーブル（ケーブル４１、ケーブル４２、ケーブル４３及びＬＡＮケーブル４４）について詳細に説明する。
【００４３】
図１に示すように、非常用コンセント２１及び充放電用コンセント群３１（充電用コンセント３２、ＬＡＮ用コンセント３３及び放電用コンセント３４）の形状は、互いに異なる形状となるように形成されている。
より詳細には、非常用コンセント２１は２極のコンセント（通称Ａ型）、充電用コンセント３２は接地極が付けられた２極のコンセント（通称Ｂ型）、ＬＡＮ用コンセント３３は所定の規格に従った略長方形断面のコンセント、放電用コンセント３４は３極のコンセント（特殊型）となるように、それぞれ形成されている。
【００４４】
また、非常用コンセント２１に差し込まれるケーブル４１のプラグ４１ａ、充電用コンセント３２に差し込まれるケーブル４２のプラグ４２ａ、ＬＡＮ用コンセント３３に差し込まれるＬＡＮケーブル４４のプラグ、及び放電用コンセント３４に差し込まれるケーブル４３のプラグ４３ａは、それぞれ対応するコンセントの形状に合わせた（対応するコンセントに差し込み可能な）形状となるように形成されている。
【００４５】
このように構成することにより、各組のコンセントとケーブル（非常用コンセント２１とケーブル４１、充電用コンセント３２とケーブル４２、ＬＡＮ用コンセント３３とＬＡＮケーブル４４、及び放電用コンセント３４とケーブル４３）は接続可能であるが、異なる組み合わせのコンセントとケーブル（例えば、非常用コンセント２１とケーブル４２、放電用コンセント３４とケーブル４１等）は接続不能となる。これによって、蓄電装置４０を各コンセントに接続する際における、ケーブルの差し間違いを防止することができる。
【００４６】
また、非常用コンセント２１、充電用コンセント３２、ＬＡＮ用コンセント３３及び放電用コンセント３４は、互いに近接する位置に配置される。このように配置することによって、作業者が各組のコンセントとケーブルとを接続する際の作業効率を向上させることができる。
【００４７】
次に、図２を用いて、住宅等の内部における蓄電装置４０の配置の様子について説明する。
なお、図２においては、便宜上、図中の矢印で示す方向を前方及び後方とそれぞれ定義して説明を行う。
【００４８】
図２に示すように、蓄電装置４０は、当該蓄電装置４０を収納するために設けられた蓄電装置収納空間１１０に配置される。蓄電装置収納空間１１０は、側壁１１１と、上部仕切壁１１２と、防音扉１１３と、外壁１００ａと、により仕切られた空間である。
【００４９】
側壁１１１は、蓄電装置収納空間１１０の左右両側方において、当該蓄電装置収納空間１１０と他の空間とを仕切るものである。なお、図２においては、左方（紙面手前側）の側壁１１１の図示は省略している。
上部仕切壁１１２は、蓄電装置収納空間１１０の上方において、当該蓄電装置収納空間１１０と他の空間とを仕切り、蓄電装置収納空間１１０の天井となるものである。
側壁１１１及び上部仕切壁１１２の蓄電装置収納空間１１０側の壁面（内側面）には、防音材１１４が設けられる。
また、右方に配置される側壁１１１の後上部には、非常用コンセント２１及び充放電用コンセント群３１（充電用コンセント３２、ＬＡＮ用コンセント３３及び放電用コンセント３４）が互いに近接するように一箇所に集中して配置される。
【００５０】
蓄電装置収納空間１１０の後部には、後方から開閉可能な防音扉１１３が設けられ、当該蓄電装置収納空間１１０と他の空間とが仕切られる。防音扉１１３は、適宜防音材が設けられた（又は、防音効果のある材料を用いて形成された）扉である。
【００５１】
住宅の外壁１００ａのうち、蓄電装置収納空間１１０と対向する部分には、当該蓄電装置収納空間１１０と住宅の外部とを連通する貫通孔１１５・１１５が形成される。
本実施形態においては、上下に並ぶように２つの貫通孔１１５・１１５が形成されるものとするが、本発明はその数及び位置を限定するものではない。
【００５２】
貫通孔１１５・１１５の外側端部には、防音カバー１１６・１１６がそれぞれ設けられる。また、上方に配置された防音カバー１１６内には、送風機１１７が設けられる。当該送風機１１７を駆動させることにより、下方に配置された貫通孔１１５から外気を蓄電装置収納空間１１０内へと取り込むとともに、上方に配置された貫通孔１１５から蓄電装置収納空間１１０内の空気を外部へと排出して、当該蓄電装置収納空間１１０内の空気を換気することができる。
【００５３】
このように構成された蓄電装置収納空間１１０内に蓄電装置４０が配置され、ケーブル４１・４２・４３及びＬＡＮケーブル４４を介して非常用コンセント２１及び充放電用コンセント群３１と接続される（図１参照）。蓄電装置４０の上部には、当該蓄電装置４０を移動させる際等に把持することが可能なハンドル４０ａが形成される。
【００５４】
蓄電装置４０のハンドル４０ａと上部仕切壁１１２とは、連結部材としての取付金具１１９及びワイヤー１２０を介して連結される。
より詳細には、上部仕切壁１１２の蓄電装置収納空間１１０側の壁面（内側面）には、前後方向に亘って図示せぬ桟が設けられ、当該桟に取付金具１１９が固定される。取付金具１１９は防音材１１４の下面に配置され、釘等の取付部材によって前記桟に対して固定される。当該取付金具１１９と蓄電装置４０のハンドル４０ａとを連結するようにワイヤー１２０が設けられる。この際、ワイヤー１２０は弛みがない状態で取付金具１１９とハンドル４０ａとを連結する。
【００５５】
上述の如く構成された蓄電装置収納空間１１０に蓄電装置４０を配置することにより、当該蓄電装置収納空間１１０内の空気を外気と換気することで蓄電装置４０が高温になるのを防止することができるとともに、当該蓄電装置４０が発する騒音が他の空間に聞こえ難くなり、居住者に不快感を与えるのを防止することができる。
さらに、非常用コンセント２１及び充放電用コンセント群３１を、側壁１１１の後上部（防音扉１１３の近傍）に、互いに近接するように一箇所に集中して配置することで、防音扉１１３を開いた状態での当該非常用コンセント２１及び充放電用コンセント群３１に各ケーブルを接続する作業を行い易くすることができる。
【００５６】
次に、図３及び図４を用いて、ケーブル４３及び放電用コンセント３４の形状について詳細に説明する。
【００５７】
図３に示すように、ケーブル４３の両端には、放電用コンセント３４に接続するためのプラグ４３ａ及び蓄電装置４０に接続するためのプラグ４３ｃが設けられる。プラグ４３ｃは、蓄電装置４０側に設けられた差し込み口の形状に合わせて形成された２極のプラグである。プラグ４３ｃは、一般家庭で最も多く使用されている差し込みプラグであり、Ａ型と呼ばれ、平行ピンを有し、ケーブル側にアース端子を延出している。
【００５８】
プラグ４３ａは、略円柱状に形成された絶縁体である。プラグ４３ａの端部（端面）には、同心円上に形成された３つの円弧状の穴であるメス部４３ｂ・４３ｂ・４３ｄが形成される。メス部４３ｂ・４３ｂ・４３ｄには、所定の端子が配置され、極性を間違わないようにメス部４３ｄの円弧長は他のメス部４３ｂ・４３ｂの円弧長よりも長く形成している。なお、プラグ４３ａは、一部の工業製品で用いられる特殊形状としているが、一般家庭で通常用いらないプラグであれば、通称Ｃ型、Ｄ型、Ｅ型、Ｆ型、Ｇ型、Ｈ型、Ｉ型、Ｊ型、Ｋ型等を用いることも可能である。
【００５９】
図４に示すように、放電用コンセント３４は住宅の壁面（側壁１１１）に配置される。放電用コンセント３４には、壁面に対して窪んだ形状となるように、円形断面を有する凹部３４ａが形成される。凹部３４ａの直径は、プラグ４３ａの直径と略同一となるように形成される。
【００６０】
凹部３４ａ内には、当該凹部３４ａの軸線方向から見て同心円上に形成された３つの端子であるオス部３４ｂ・３４ｂ・３４ｃが設けられる。オス部３４ｂ・３４ｂ・３４ｃは、その先端が前記壁面から突出しないように形成される。オス部３４ｂ・３４ｂ・３４ｃは、プラグ４３ａに形成されたメス部４３ｂ・４３ｂ・４３ｄの位置と対応する位置にそれぞれ配置される。
【００６１】
このように構成されたケーブル４３を放電用コンセント３４に接続する場合、作業者（居住者等）は、ケーブル４３のプラグ４３ａ（絶縁部）を持って、当該プラグ４３ａを放電用コンセント３４の凹部３４ａに差し込む。この際、放電用コンセント３４のオス部３４ｂ・３４ｂ・３４ｃの位置とプラグ４３ａのメス部４３ｂ・４３ｂ・４３ｄ（図３参照）の位置とをそれぞれ合わせることで、当該メス部４３ｂ・４３ｂ・４３ｄにオス部３４ｂ・３４ｂ・３４ｃが差し込まれ、ケーブル４３と放電用コンセント３４とが電気的に接続される。
【００６２】
本実施形態に係るプラグ４３ａ及び放電用コンセント３４においては、作業者が直接触って作業するプラグ４３ａ側（ケーブル４３側）にメス部４３ｂ・４３ｂ・４３ｄが形成されるとともに、作業者が直接触れることのない放電用コンセント３４側にオス部３４ｂ・３４ｂ・３４ｃが形成されている。また、プラグ４３ａ側の端子は、当該メス部４３ｂ・４３ｂ・４３ｄ内に配置されている。従って、作業者が誤ってプラグ４３ａ側の端子に触れるようなことがなく、プラグ４３ｃを蓄電装置４０側の差し込み口に差し込んだ状態で電力供給が可能な状態であっても、感電を防止することができる。
【００６３】
さらに、本実施形態に係るプラグ４３ａ及び放電用コンセント３４においては、電力（電気）が流れる端子は、作業者から触れ難い位置に配置されている。すなわち、プラグ４３ａ側の端子は当該プラグ４３ａのメス部４３ｂ・４３ｂ・４３ｄ内に配置され、放電用コンセント３４側の端子は凹部３４ａ内において、壁面から突出しないように配置されている。従って、作業者が誤って端子に触れることをより効果的に防止し、ひいては感電を防止することができる。さらに、収納物等がオス部３４ｂ・３４ｂ・３４ｃに接触し、当該オス部３４ｂ・３４ｂ・３４ｃを変形させることもない。また、放電用コンセント３４は通常一般家庭では設置されていないため、誤って通常（Ａ型）のプラグを差し込むこともない。
【００６４】
次に、図５を用いて、蓄電装置４０を用いない場合の電力供給システム１について説明する。
【００６５】
コストの削減等を目的として蓄電装置４０を用いない場合、非常用コンセント２１及び充放電用コンセント群３１と各ケーブル（ケーブル４１、ケーブル４２、ケーブル４３及びＬＡＮケーブル４４）との接続を解除する。この状態においては、発電部１０及び商用電源９０と負荷５０とは電気的に接続されていないため、当該負荷５０に電力を供給することができない。
【００６６】
そこで、蓄電装置４０を用いない場合は、充放電用コンセント群３１の充電用コンセント３２と放電用コンセント３４とをケーブル４３で接続する。ケーブル４３は蓄電装置４０側の差し込み口から抜いて充電用コンセント３２に差し替えるだけでそのまま利用できる。充電用コンセント３２と放電用コンセント３４とは、前述の如く互いに近接する位置に配置されているため、ケーブル４３を用いて容易に接続することができる。
【００６７】
このように構成することで、発電部１０及び商用電源９０から分電盤３０に供給された電力を、充電用コンセント３２、ケーブル４３及び放電用コンセント３４を介して負荷５０に供給することができる。したがって、蓄電装置４０を用いない（取り外した）場合であっても、発電部１０や商用電源９０からの電力を負荷５０に供給し、テレビ５１ａや冷蔵庫５２等を使用することができる。
【００６８】
なお、充電用コンセント３２と放電用コンセント３４とを接続するケーブルはケーブル４３に限るものではなく、各コンセントに合う形状のプラグを有するケーブルを別途使用することも可能である。
また、充電用コンセント３２のメス部は、一般家庭に設けられているコンセントと同じ形状であるため、ケーブル４３や放電用コンセント３４等が故障した場合であっても、市販されている延長ケーブル（Ａ型）のオス部を差し込んで、他端のメス部（またはコンセント）に負荷５０のプラグを差し込むことで、当該負荷５０に電力を供給することができる。
【００６９】
以上の如く、本実施形態に係る電力供給システム１は、自然エネルギーを利用して発電可能な発電部１０と、商用電源９０及び発電部１０にそれぞれ接続され、商用電源９０及び発電部１０からの電力を充電可能であるとともに、充電された電力を特定の負荷５０へと放電可能な蓄電装置４０と、を具備する電力供給システム１であって、発電部１０、商用電源９０及び特定の負荷５０にそれぞれ接続される複数のコンセント（非常用コンセント２１、充電用コンセント３２及び放電用コンセント３４）と、前記複数のコンセントと蓄電装置４０とをそれぞれ接続する複数のケーブル（ケーブル４１、ケーブル４２及びケーブル４３）と、を具備し、各組のコンセントとケーブルとの差し込み形状が互いに異なる形状となるように形成されるものである。
【００７０】
このように構成することにより、複数組のコンセント及びケーブルの差し込み形状が全て異なるため、ケーブルの差し間違いを防止することができる。特に、停電時（非常時）等の手元が見え難い状況であっても、ケーブルの差し間違いを防止することができる。
【００７１】
また、前記複数組のコンセント及びケーブルのうち、１組のコンセント及びケーブル（放電用コンセント３４及びケーブル４３）は、ケーブル４３側にメス部４３ｂが形成されるとともに、放電用コンセント３４側に、ケーブル４３側のメス部４３ｂに差し込まれるオス部３４ｂが形成されるものである。
【００７２】
このように、作業者（居住者等）が持つ側（ケーブル４３側）にメス部４３ｂを形成することで、作業者がケーブル４３の端子に誤って触れてしまうことを防止し、ひいては感電を防止することができる。
【００７３】
なお、本実施形態においては、１組のコンセント及びケーブル（放電用コンセント３４及びケーブル４３）のみについて、ケーブル側にメス部を形成し、コンセント側にオス部を形成する構成を適用したが、本発明はこれに限るものではなく、２組以上や全ての組のコンセント及びケーブルについて当該構成を適用することも可能である。
【００７４】
また、本実施形態に係る電力供給システム１は、商用電源９０に対応するコンセント（充電用コンセント３２）と、特定の負荷５０に対応するコンセント（放電用コンセント３４）と、を互いに近接する位置に配置してケーブル（接続ケーブル４５）により接続可能としたものである。
【００７５】
このように構成することにより、蓄電装置４０を用いない場合は、商用電源９０に対応するコンセントと、特定の負荷５０に対応するコンセントと、を接続することにより、当該特定の負荷５０に商用電源９０からの電力を供給することができる。これによって、居住者の要望に応じた電力供給システム１（蓄電装置４０を有する電力供給システム１又は蓄電装置４０を有しない電力供給システム１）を容易に提供することができる。
【符号の説明】
【００７６】
１      電力供給システム
１０    発電部
２１    非常用コンセント（コンセント）
３２    充電用コンセント（コンセント）
３４    放電用コンセント（コンセント）
３４ｂ  オス部
４０    蓄電装置
４１    ケーブル
４２    ケーブル
４３    ケーブル
４３ｂ  メス部
４５    接続ケーブル
５０    負荷（特定の負荷）
９０    商用電源
【図１】
0005795229.tif 000002
【図２】
0005795229.tif 000003
【図３】
0005795229.tif 000004
【図４】
0005795229.tif 000005
【図５】
0005795229.tif 000006